(57)【要約】      （修正有）【課題】ディスプレイの大型化や高解像度化に伴う警戒区域の平面図中の発報シンボルの見難さを改善して視認性と操作性を向上する。【解決手段】防災表示装置は、火災報知設備の情報として、所定の区画毎に火災感知器を示すシンボルを示した監視区域の平面図４８をディスプレイに画面表示する。表示制御部は、火災発報した発報シンボル５０ａをそれ以外の非発報シンボル５０ｂに対し目立つ表示状態に制御する。例えば表示制御部は、発報シンボル５０ａは所定の通常表示を維持し、それ以外の非発報シンボル５０ｂは所定周期で点滅又は明滅し、これにより火災発報したシンボルを目立たせた画面表示とする。【選択図】図４
2020161073.tif 000002
【特許請求の範囲】
【請求項１】
火災報知設備の情報を画面表示する防災表示装置に於いて、
所定の区画毎に火災感知器を示すシンボルを配置した監視区域の平面図を画面表示する画面表示手段と、
火災発報した火災感知器を示すシンボルをそれ以外のシンボルに対し目立つ表示状態に制御する表示制御手段と、
が設けられたことを特徴とする防災表示装置。
【請求項２】
請求項１記載の防災表示装置に於いて、
前記表示制御手段は、火災発報したシンボルは所定の通常表示を維持し、前記火災発報したシンボル以外のシンボルは所定周期で点滅又は明滅することを特徴とする防災表示装置。
【請求項３】
請求項１記載の防災表示装置に於いて、
前記表示制御手段は、前記火災発報したシンボルは所定の通常表示の画素値を維持し、前記火災発報したシンボル以外のシンボルの画素値は所定値に変化することを特徴とする防災表示装置。
【請求項４】
請求項１記載の防災表示装置に於いて、
前記表示制御手段は、前記火災発報したシンボルは所定のサイズに拡大表示し、前記火災発報したシンボル以外のシンボルは消去するか又は所定のサイズに縮小表示することを特徴とする防災表示装置。
【請求項５】
請求項１記載の防災表示装置に於いて、
前記表示制御手段は、前記火災発報したシンボルに対し所定の発報メッセージを示した吹き出しを配置することを特徴とする防災表示装置。
【請求項６】
請求項５記載の防災表示装置に於いて、前記表示制御手段は、前記吹き出しの連結先の前記火災発報したシンボルへの繋がりは維持し、前記発報メッセージの部分は移動自在で且つ消去自在としたことを特徴とする防災表示装置。
【請求項７】
請求項１記載の防災表示装置に於いて、
前記表示制御手段は、前記平面図の外側に表示された前記火災発報のメッセージ欄から前記平面図上の前記火災発報したシンボルに引き出し線を引くことを特徴とする防災表示装置。
【発明の詳細な説明】
【技術分野】
【０００１】
本発明は、火災報知設備の防災情報をディスプレイに画面表示する防災表示装置に関する。
【背景技術】
【０００２】
従来、受信機から引き出された信号回線に火災感知器を接続して火災を監視する火災報知設備にあっては、設備規模の大型化と複雑化に伴い防災センターには膨大な防災情報が集中することから、防災センターには防災表示装置が設置され、火災報知設備からの防災情報をディスプレイに画面表示し、防災情報に対し迅速且つ適切な対応を可能としている。
【０００３】
防災表示装置は、監視対象とする建物の平面図がディスプレイに表示されており、発生時には、火災発生階の平面図が自動的に表示されると共に、火災発生階の平面図の中で火災が発生した部屋等の区画に配置した火災感知器のシンボルが例えば赤点滅すると共に平面図の下側に火災発報の地区等を示すメッセージが表示され、更に、必要に応じて、メニュー選択により火災発生階や直上階の確認を平面図を替えて行うことができる。
【先行技術文献】
【特許文献】
【０００４】
【特許文献１】特開平０７−０４５３８６号公報
【特許文献２】特開２０１７−２１１７８０号公報
【発明の概要】
【発明が解決しようとする課題】
【０００５】
ところで、このような従来の防災表示装置にあっては、設備規模の大型化と複雑化に伴いディスプレイの画面サイズが大きくなり、また、４Ｋや８Ｋといった高解像度のディスプレイが使用されており、このようにディスプレイの大型化と高解像度化が進むと、ディスプレイに表示している建物の平面図がその前に座っている監視員の視野に入り切らないという問題があり、平面図前部を視野に入れようとすると、監視員はディスプレイから離れた位置から見ることとなり、シンボルが小さくなりすぎ、火災発生時に表示される火災発報シンボルが見えづらくなってしまう問題がある。
【０００６】
この問題を解決するためにはシンボルを大きく表示することが考えられるが、シンボルを単純に大きくすると、平面図がディスプレイから溢れて全体を見ることができなくなる。
【０００７】
本発明は、ディスプレイの大型化や高解像度化に伴う警戒区域の平面図中の発報シンボルの見難さを改善して視認性と操作性を向上させる防災表示装置を提供することを目的とする。
【課題を解決するための手段】
【０００８】
（防災表示装置）
本発明は、火災報知設備の情報を画面表示する防災表示装置に於いて、
所定の区画毎に火災感知器のシンボルを配置した監視区域の平面図を画面表示する画面表示手段と、
火災発報した火災感知器を示すシンボルをそれ以外のシンボルに対し目立つ表示状態に制御する表示制御手段と、
が設けられたことを特徴とする。
【０００９】
（シンボルの通常表示と点滅表示）
表示制御手段は、火災発報したシンボルは所定の通常表示を維持し、火災発報したシンボル以外のシンボルは所定周期で点滅又は明滅する。
【００１０】
（シンボルＲＧＢ値の制御）
表示制御手段は、火災発報したシンボルは所定の通常表示の画素値（ＲＧＢ値）を維持し、火災発報したシンボル以外のシンボルは所定の画素値に変化する。
【００１１】
（シンボルサイズの制御）
表示制御手段は、火災発報したシンボルは所定のサイズに拡大表示し、火災発報したシンボル以外のシンボルは消去するか又は所定のサイズに縮小表示する。
【００１２】
（吹き出しメッセージ）
表示制御手段は、火災発報したシンボルに対し所定の発報メッセージを示した吹き出しを配置する。
【００１３】
（吹き出しメッセージの制御）
表示制御手段は、吹き出しの連結先の火災発報したシンボルへの繋がりは維持し、発報メッセージの部分は移動自在で且つ消去自在とする。
【００１４】
（発報メッセージ欄から火災発報シンボルに線を引く表示）
表示制御手段は、平面図の外側に表示された火災発報のメッセージ欄から平面図上の火災発報したシンボルに引き出し線を引く。
【発明の効果】
【００１５】
（基本的な効果）
本発明は、火災報知設備の情報をディスプレイに画面表示する防災表示装置に於いて、所定の区画毎に火災感知器を示すシンボルを配置した監視区域の平面図を画面表示する画面表示手段と、火災発報した火災感知器を示すシンボルをそれ以外のシンボルに対し目立つ表示状態に制御する表示制御手段とが設けられたため、ディスプレイの大型化や高解像度化に伴い、平面図全体を視野に入れるために、監視員が離れた位置からディスプレイを見ても、火災発報を示す火災感知器のシンボル、所謂発報シンボルが他のシンボルから目立つように表示されることで、発報シンボルを明確に見分けることが可能となり、発報シンボルの見難さを改善して視認性と操作性を向上させることができる。
【００１６】
（シンボルの通常表示と点滅表示による効果）
また、表示制御手段は、火災発報したシンボルは所定の通常表示を維持し、火災発報したシンボル以外のシンボルは所定周期で点滅又は明滅するようにしたため、発報シンボル以外のシンボルが点滅又は明滅することで、通常表示を維持している発報シンボルが浮き上がって目立つようになり、発報シンボルを明確に見分けることが可能となり、発報シンボルの見難さを改善して視認性と操作性を向上させることができる。
【００１７】
（シンボル画素値の制御による効果）
また、表示制御手段は、火災発報したシンボルは所定の通常表示の画素値（例えばＲＧＢ値）を維持し、火災発報したシンボル以外のシンボルの画素値は所定値に変化するようにしたため、発報シンボル以外のシンボルが薄くなることで、通常表示を維持している発報シンボルが浮き上がって目立つようになり、発報シンボルを明確に見分けることが可能となり、発報シンボルの見難さを改善して視認性と操作性を向上させることができる。
【００１８】
（シンボルサイズの制御による効果）
表示制御手段は、火災発報したシンボルは所定のサイズに拡大表示し、火災発報したシンボル以外のシンボルは消去するか又は所定のサイズに縮小表示するようにしたため、発報シンボル以外のシンボルを消去又は縮小することで、拡大表示している発報シンボルが目立ち、発報シンボルを明確に見分けることが可能となり、発報シンボルの見難さを改善して視認性と操作性を向上させることができる。
【００１９】
（吹き出しメッセージの効果）
表示制御手段は、火災発報したシンボルに対し所定の発報メッセージを示した吹き出しを配置するようにしたため、発報シンボルはメッセージ付きの吹き出しにより目立ち、発報シンボルを明確に見分けることが可能となり、発報シンボルの見難さを改善して視認性と操作性を向上させることができる。
【００２０】
また、表示制御手段は、吹き出しの連結先の火災発報したシンボルへの繋がりは維持し、発報メッセージの部分は移動自在で且つ消去自在とすることで、吹き出しメッセージによる発報シンボルの視認性が向上する。
【００２１】
（発報メッセージ欄から火災発報シンボルに線を引く表示の効果）
また、表示制御手段は、平面図の外側に表示された火災発報のメッセージ欄から平面図上の火災発報したシンボルに引き出し線を引くようにしたため、引き出し線により発報シンボルと火災発報のメッセージ欄がリンクされることで、発報シンボルが目立ち、また、発報シンボルの内容がどのようなものであるかが、引き出し線によりリンクされたメッセージ欄の表示から明確且つ容易に把握でき、初期消火や避難誘導といった必要な火災対処を適切且つ確実に行うことを可能とする。
【図面の簡単な説明】
【００２２】
【図１】本発明による防災情報装置が設けられたＲ型の火災報知設備の概要を示した説明図
【図２】防災表示装置の機能構成を示した説明図
【図３】防災表示装置の通常監視画面を示した説明図
【図４】発報シンボルの通常表示を維持し、それ以外のシンボルを点滅又は明滅する火災監視画面を示した説明図
【図５】火災シンボルは通常表示のＲＢＧ値を維持し、それ以外のシンボルはＲＧＢ値を低下させる火災監視画面の概略を示した説明図
【図６】火災シンボルは拡大表示し、それ以外のシンボルは縮小又は消去する火災監視画面の概略を示した説明図
【図７】火災シンボルに発報メッセージを示した吹き出しを配置する火災監視画面の概略を示した説明図
【図８】火災発報のメッセージ欄から火災シンボルに引き出し線を引いた火災監視画面を示した説明図
【発明を実施するための形態】
【００２３】
［実施形態の基本的な概念］
図１は本発明による防災表示装置が設けられたＲ型の火災報知設備の概要を示した説明図、図２は防災表示装置の機能構成を示した説明図、図３は防災表示装置の通常監視画面を示した説明図、図４は発報シンボルの通常表示を維持し、それ以外のシンボルを点滅又は明滅する火災監視画面を示した説明図である。
【００２４】
本発明による防災表示装置の実施形態の基本的な概念は、受信機１０と火災感知器１４を備えた火災報知設備の情報をディスプレイ３６に画面表示する防災表示装置３０であって、所定の区画毎に火災感知器１４を示すシンボル５０を配置した監視区域の平面図４８を画面表示する画面表示手段として機能するディスプレイ３６が設けられ、表示制御手段として機能する表示制御部３２は、火災発報したシンボルをそれ以外のシンボルに対し目立つ表示状態に制御するというものである。
【００２５】
例えば、表示制御部３２は、図４の火災監視画面４２−２に示すように、火災発報した発報シンボル５０ａは所定の通常表示を維持し、発報シンボル５０ａ以外の非発報シンボル５０ｂは所定周期で点滅又は明滅する、というものである。
【００２６】
このため、ディスプレイ３６の大型化や高解像度化に伴い、平面図全体を視野に入れるために、監視員が離れた位置からディスプレイ３６を見ても、火災発報した火災感知器１４を示す発報シンボル５０ａが非発報シンボル５０ｂに対し目立つことで、発報シンボル５０ａの見難さを改善して視認性と操作性を向上させることができる。以下詳細に説明する。
【００２７】
［火災報知設備］
図１に示すように、監視対象とする建物や施設の防災センターには、本実施形態の防災表示装置３０と火災報知設備の受信機１０が設置され、受信機１０から警戒区域に対し系統毎に分けて信号回線１２−１〜１２−３が引き出されている。なお、以下の説明では、信号回線１２−１〜１２−３を区別する必要がない場合は、信号回線１２という場合がある。
【００２８】
受信機１０はいわゆるＲ型（Ｒｅｃｏｒｄ−ｔｙｐｅ）であり、信号回線１２−１，１２−２には固有のアドレスが設定された伝送機能を有する複数のアナログ型の火災感知器１４が接続され、また、固有のアドレスが設定された伝送機能を有する中継器１６から引き出された感知器回線１８にオンオフ型の火災感知器２０及び発信機２２が接続され、更に、固有のアドレスが設定された伝送機能を有するアドレッサブル発信機２４が接続されている。
【００２９】
また、信号回線１２−３には固有のアドレスが設定された伝送機能を有する中継器１６を介して防排煙機器２６が接続されている。
【００３０】
ここで、信号回線１２−１〜１２−３に接続される火災感知器１４、中継器１６等の端末機器に設定される最大アドレス数は例えば２５５としており、信号回線１２には最大２５５台の火災感知器１４を含む端末機器が接続できる。
【００３１】
受信機１０による火災監視制御は次のようになる。通常監視中にあっては、受信機１０は、一定周期毎に、一括ＡＤ変換コマンドを含むブロードキャストの一括ＡＤ変換信号を送信しており、この一括ＡＤ変換信号を受信した火災感知器１４は、煙濃度又は温度をセンサデータとして検出する。続いて、受信機１０は、端末アドレスを順次指定したポーリングコマンドを含む呼出信号を送信している。
【００３２】
火災感知器１４は自己アドレスに一致するアドレスを持つ呼出信号を受信すると、そのとき保持しているセンサデータを含む応答信号を送信する。また、火災感知器１４は煙濃度又は温度が所定の注意レベルを超えると受信機１０に対し火災割込み信号を送信する。
【００３３】
受信機１０は火災割込み信号を受信すると、グループ検索コマンド信号を送信して火災を検出している火災感知器１４を含むグループを特定し、続いて、グループ内検索コマンド信号を送信して火災を検出している火災感知器１４のアドレスを特定してセンサのアナログデータを集中的に収集する。
【００３４】
受信機１０は受信したアナログデータを所定の注意レベルより高い所定の火災判定レベルと比較しており、アナログデータが火災判定レベルに達した場合に火災と判定し、火災代表灯を点灯し、スピーカから音響警報を出力し、ディスプレイに火災が検出された感知器アドレスに基づき火災発生場所を含む火災発報情報を表示させ、更に、移報部により火災移報信号を外部に出力して所定の移報制御等を行わせる。
【００３５】
このように受信機１０の火災監視制御で取得された防災情報（火災発報情報を含む）は、例えばＲＳ２３２等の伝送線１５を介して接続された防災表示装置３０に伝送される。
【００３６】
［防災表示装置］
（防災表示装置の概要）
図２に示すように、防災表示装置３０は、表示制御部３２、伝送部３４、タッチパネル３８が設けられたディスプレイ３６、及び記憶部４０で構成され、表示制御部３２はＣＰＵ、メモリ、各種の入出力ポート等を備えたコンピュータ回路等で構成されている。
【００３７】
伝送部３４は図１に示した火災報知設備の受信機１０と伝送線１５により接続され、受信機１０の火災監視制御で得られた火災発報情報を含む防災情報を受信して記憶部４０に保存し、必要に応じてディスプレイ３６に防災情報を表示する。また、ディスプレイ３６の画面操作は、タッチパネル３８によるタッチ操作や図示しないマウス操作により行うことができる。
【００３８】
（通常監視画面）
図２に示した防災表示装置３０の表示制御部３２は、通常監視状態で図３に示す通常監視画面４２−１をディスプレイ３６に表示している。通常監視画面４２−１は、画面左上のメニュー欄４４の「平面図をみる」の操作釦を操作し、且つ画面右下の「２Ｆ」の操作釦４５を操作した場合であり、これにより画面中央に監視対象とする建物の平面図４８が表示される。
【００３９】
画面表示された平面図４８は、画面左下の縮小平面図４６の中の斜線で示すエリア４６ａを拡大表示したものであり、エリア４６ａをマウス操作又はタッチ操作で移動すると、平面図４８を操作方向にスクロールすることができる。
【００４０】
平面図４８は建物２Ｆの監視区画に対応した部屋割りが表示されると共に、図１に示した火災感知器１４の設置を示すシンボル５０が表示されている。なお、本実施形態にあっては、説明を簡単にするため、火災感知器（煙感知器）１４のシンボル５０のみを表示しているが、実際には、煙感知器以外の熱感知器、炎感知器、光電式分離型感知器、発信機等のシンボルに加え、スプリンクラー消火設備等の消火設備のシンボルも合わせて表示される。
【００４１】
（火災監視画面の発報シンボル表示の第１実施形態）
図４は受信機１０で火災が判断された場合に表示される火災監視画面４２−２であり、画面下部のメッセージ欄５４に火災発報情報として例えば「２０１９／０２／２０  １４：０２  ２階４６地区テナント２０１  （火災レベル）発報」が表示され、この火災発報情報に基づき２階の火災発生場所を含む平面図４８が画面中央に表示される。
【００４２】
本実施形態の表示制御部３２は、発報シンボル５０ａについては所定の通常表示を維持し、発報シンボル５０ａ以外の非発報シンボル５０ｂは所定周期で点滅又は明滅する制御を行う。
【００４３】
このように発報シンボル５０ａは通常表示を維持し、それ以外の非発報シンボル５０ｂが点滅又は明滅することで、通常表示を維持している発報シンボル５０ａが浮き上がって目立つようになり、発報シンボル５０ａを明確に見分けることを可能とし、発報シンボル５０ａの視認性と操作性が向上する。
【００４４】
（火災監視画面の発報シンボル表示の第２実施形態）
図５は火災シンボルは通常表示のＲＢＧ値を維持し、それ以外のシンボルはＲＧＢ値を低下させる火災監視画面の概略を示した説明図であり、図５（Ａ）は通常監視画面４２−１を示し、図５（Ｂ）は火災監視画面４２−２を示しており、それぞれ建物の平面図４８のみを簡略化して示している。
【００４５】
本実施形態の表示制御部３２は、火災発報情報を受信した場合には、図５（Ｂ）に示すように、火災発生区画５６の発報シンボル５０ａは、図５（Ａ）に示した通常表示の画素値と同じ例えばＲＧＢ値を維持し、発報シンボル５０ａ以外の非発報シンボル５０ｂはＲＧＢ値を所定値に低下する制御を行う。
【００４６】
このように通常表示のＲＧＢ値となる発報シンボル５０ａに対し、非発報シンボル５０ｂのＲＧＢ値を低下させることで、非発報シンボル５０ｂは薄い色で表示されて不鮮明となり、通常のＲＧＢ値で表示している発報シンボル５０ａが浮き上がって目立つようになり、発報シンボルを明確に見分けることを可能とし、発報シンボル５０ａの視認性と操作性を向上させることができる。また、非発報シンボル５０ｂの透過率を上昇させることにより不鮮明としても良い。また、色の変化はフェードイン・フェードアウト等の画像効果を伴うものであっても良い。
【００４７】
（火災監視画面の発報シンボル表示の第３実施形態）
図６は火災シンボルは拡大表示し、それ以外のシンボルは縮小又は消去する火災監視画面の概略を示した説明図であり、図６（Ａ）は通常監視画面４２−１を示し、図６（Ｂ）は火災監視画面４２−２を示しており、それぞれ建物の平面図４８のみを簡略化して示している。
【００４８】
本実施形態の表示制御部３２は、火災発報情報を受信した場合、図６（Ｂ）に示すように、火災発生区画５６の発報シンボル５０ｃは所定のサイズに拡大表示し、一方、非発報シンボル５０ｄは消去又は縮小する制御を行う。
【００４９】
このように拡大表示した発報シンボル５０ｃに対し、非発報シンボル５０ｄを消去するか又は縮小することで、拡大表示している発報シンボル５０ｃが目立ち、発報シンボル５０ｃを明確に見分けることを可能とし、発報シンボル５０ｃの視認性と操作性を向上することができる。
【００５０】
（火災監視画面の発報シンボル表示の第４実施形態）
図７は火災シンボルに発報メッセージを示した吹き出しを配置する火災監視画面の概略を示した説明図であり、図７（Ａ）は通常監視画面４２−１を示し、図７（Ｂ）は火災監視画面４２−２を示しており、それぞれ建物の平面図４８のみを簡略化して示している。
【００５１】
本実施形態の表示制御部３２は、火災発報情報を受信した場合、図７（Ｂ）に示すように、火災発生区画５６の発報シンボル５０ａに対し所定の発報メッセージ，例えば「（火災レベル）発報」を示した吹き出し５８を配置するよう制御する。
【００５２】
このように発報シンボル５０ｃに発報メッセージ６２を示した吹き出し５８を配置することで、発報シンボル５０ａが目立ち、発報シンボル５０ａを明確に見分けることが可能となり、発報シンボル５０ｃの視認性と操作性を向上することができる。
【００５３】
また、表示制御部３２は、画面表示している吹き出し５８の連結先の発報シンボル５０ａへの繋がり部６０を維持し、吹き出し５８の発報メッセージ６２の部分はタッチ操作又はマウス操作に応じて移動自在で且つ消去自在とする制御を行う。このため必要に応じて吹き出し５８の発報メッセージ６２の部分を動かすことで、吹き出し５８により隠れた部分を確認する等の活用ができる。
【００５４】
（火災監視画面の発報シンボル表示の第５実施形態）
図８は火災発報のメッセージ欄から火災シンボルに引き出し線を引いた火災監視画面を示した説明図である。
【００５５】
本実施形態の表示制御部３２は、火災発報情報を受信した場合、図８に示すように、画面下側のメッセージ欄５４に表示された発報メッセージから平面図４８上の火災発生区画５６の発報シンボル５０ａに引き出し線７０を引くように表示する制御を行う。
【００５６】
ここで、引き出し線７０は透過線としており、引き出し線７０の下側の画像は透過して見えるように表示しており、引き出し線７０を引いても平面図４８が隠されることはない。
【００５７】
このように発報シンボル５０ａとメッセージ欄５４の発報メッセージが引き出し線７０によりリンクされることで、発報シンボル５０ａが目立ち、また、発報シンボル５０ａの内容がどのようなものであるかが、リンクされたメッセージ欄５４の表示から明確且つ容易に把握でき、初期消火や避難誘導といった必要な火災対処を適切且つ確実に行うことを可能とする。
【００５８】
［本発明の変形例］
（火災注意情報に基づく発報シンボル）
上記の実施形態は、防災情報として火災発報情報を防災表示装置で表示する場合の発報シンボルを例にとっているが、火災感知器１４のアナログデータが所定の注意レベルを超えた時の割込み信号の送信で検知される火災注意情報についても、防災情報として受信機１０から受信し、平面図に注意レベルを超えた火災感知器１４の発報シンボルを同様に目立つ形態で表示するようにしても良い。
【００５９】
（発報シンボル）
上記の実施形態は、火災検知器（煙感知器）の発報シンボルの表示制御を例にとるものであったが、熱感知器、炎感知器、光電式分離型感知器等の感知器シンボルを発報シンボルとして表示する場合にも、同様に適用することができる。
【００６０】
（Ｐ型受信機）
また、上記の実施形態は、Ｒ型の受信機からの信号回線を介してＲ型の火災感知器を接続した火災報知設備を例にとっているが、Ｐ型（Ｐｒｏｐｒｉｅｔａｒｙ−ｔｙｐｅ）の受信機から引き出した感知器回線にアドレスを設定すると共に伝送機能を備えたアドレッサブル火災感知器を接続した火災報知設備についても、同様に、受信機から防災情報を防災表示装置に伝送してディスプレイの平面図に発報シンボルを表示する場合にもそのまま適用できる。
【００６１】
（その他）
また、本発明はその目的と利点を損なうことのない適宜の変形を含み、更に上記の実施形態に示した数値による限定は受けない。
【符号の説明】
【００６２】
１０：受信機
１２−１〜１２−３：信号回線
１４，２０：火災感知器
１５：伝送線
１６：中継器
１８：感知器回線
２２：発信機
２４：アドレッサブル発信機
２６：防排煙機器
３０：防災表示装置
３２：表示制御部
３４：伝送部
３６：ディスプレイ
３８：タッチパネル
４０：記憶部
４２−１：通常監視画面
４２−２：火災監視画面
４４：メニュー欄
４６：縮小平面図
４６ａ：エリア
４８：平面図
５０：シンボル
５０ａ，５０ｃ：発報シンボル
５０ｂ，５０ｄ：非発報シンボル
５４：メッセージ欄
５６：火災発生区画
５８：吹き出し
７０：引き出し線
【図１】
2020161073.tif 000003
【図２】
2020161073.tif 000004
【図３】
2020161073.tif 000005
【図４】
2020161073.tif 000006
【図５】
2020161073.tif 000007
【図６】
2020161073.tif 000008
【図７】
2020161073.tif 000009
【図８】
2020161073.tif 000010